(57)【要約】【課題】使用者の状況に応じて表示内容を変更する洗濯機を提供すること。【解決手段】洗濯機本体１０１に、表示部１０２と、使用者との距離を検出する距離検出手段１０３と、前記距離検出手段１０３により検出された距離情報をもとに使用者の接近状態を判定する接近判定部１０５と、前記接近判定部１０５により判定された情報をもとに前記表示部１０２へ表示する内容を制御する表示制御部１０６とを備えた洗濯機において、洗濯運転中に使用者が接近してきた場合に、表示する内容を変更する。【選択図】図１
2012130379.tif 000002
【特許請求の範囲】
【請求項１】
表示部と、使用者との距離を検出する距離検出手段と、前記距離検出手段により検出された距離情報をもとに使用者の接近状態を判定する接近判定部と、前記接近判定部により判定された情報をもとに前記表示部へ表示する内容を制御する表示制御部とを備えた洗濯機。
【請求項２】
前記表示部は、使用者が接近してきた場合に変更された表示内容を元に戻すキーを備えた請求項１に記載の洗濯機。
【請求項３】
前記表示制御部は、洗濯運転の残時間情報と使用者に設定された洗濯コース情報をもとに表示内容を判定する洗濯コース判定部をさらに備え、洗濯運転中に使用者が接近してきた場合に、前記残時間情報と前記洗濯コース情報に応じて前記表示部への表示内容を変更する請求項１または２に記載の洗濯機。
【請求項４】
前記表示制御部は、洗濯運転の残時間情報と使用者に設定された洗濯行程情報をもとに表示内容を判定する洗濯行程判定部をさらに備え、洗濯運転中に使用者が接近してきた場合に、前記残時間情報と前記洗濯行程情報に応じて前記表示部への表示内容を変更する請求項１〜３のいずれか１項に記載の洗濯機。
【請求項５】
前記表示制御部は、洗濯運転の残時間情報と現在の洗濯行程情報をもとに表示内容を判定する現在行程判定部をさらに備え、洗濯運転中に使用者が接近してきた場合に、前記残時間情報と前記洗濯行程情報に応じて前記表示部への表示内容を変更する請求項１〜４のいずれか１項に記載の洗濯機。
【請求項６】
前記表示制御部は、洗濯機が運転中に操作された内容を記憶する記憶手段と、洗濯運転の残時間情報と前記記憶手段に記憶された操作履歴情報をもとに表示内容を判定する操作履歴判定部をさらに備え、洗濯運転中に使用者が接近してきた場合に、前記残時間情報と前記操作履歴情報に応じて前記表示部への表示内容を変更する請求項１〜５のいずれか１項に記載の洗濯機。
【発明の詳細な説明】
【技術分野】
【０００１】
本発明は、洗濯運転に関連した表示動作を行なうための表示装置を備えた洗濯機に関し、特に、使用者の操作性を向上させるユーザインタフェース技術に関するものである。
【背景技術】
【０００２】
従来の洗濯機の表示装置は、洗濯運転中の洗い、すすぎ、脱水等の洗濯行程の進行状況と、洗濯運転の残時間情報とを予め設定された文字サイズで表示するものである。
【０００３】
しかしながら、全自動洗濯機においては、使用者は、一旦洗濯機の運転を開始すると、洗濯機本体から離れるのが通常で、現在の進行状況を確認したい場合は、わざわざ洗濯機本体まで近づく必要がある、といった課題を有していた。
【０００４】
このような表示装置の課題を解決する手段として、表示装置本体に人と表示装置との距離を検出する距離検出手段を備え、前記距離検出手段により検出される距離情報に応じて表示する文字サイズ、図形サイズなどを変更（例えば、特許文献１参照）し、表示する情報量を変更することにより、人に情報を効果的に見てもらう技術が提案されている。
【０００５】
ここで、特許文献１に記載された表示装置を図１３示す。図１３において、表示装置は表示部１０２と、人と表示装置との距離を検出する距離検出手段１０３と、表示する情報を格納する表示情報格納部１１０と、距離ごとに表示する方法を格納する距離情報格納部１１１と、距離に応じて表示内容を加工する表示制御部１０６から構成される。
【０００６】
以上のように構成された表示装置は、距離検出手段１０３により検出された人との距離情報をもとに、距離情報格納部１１１に格納された距離ごとの表示方法に従い、表示情報格納部１１０に格納された表示内容を表示することが可能となり、人と表示装置との距離に応じて表示部１０２へ表示する内容を変更することができる。
【先行技術文献】
【特許文献】
【０００７】
【特許文献１】特開２００３−２７１２８３号公報
【発明の概要】
【発明が解決しようとする課題】
【０００８】
しかしながら、前記従来の手段では、人が表示装置より離れている場合は、文字や図形サイズを大きくし、逆に人が表示装置に近づいた場合は、文字や図形サイズを小さくしたりすることは可能であるが、人との距離に応じてのみ表示内容を変更するため、変更した表示内容が使用者の状況により最適ではない場合がある。
【０００９】
特に洗濯機などの近年の白物家電においては、高機能化や多機能化に伴い、人が表示装置に近づいた場合に文字サイズを小さくし、表示する情報量を増やしてしまうと、表示項目が多くなり、目当ての操作を見つけづらく、慣れるまで操作に時間がかかってしまう、といった課題を有していた。
【００１０】
そこで本発明は、使用者の接近状態と洗濯機の運転状態を判断して、状況に応じて最適な表示内容を行なう洗濯機を提供することを目的とする。
【課題を解決するための手段】
【００１１】
本発明は、前記従来の課題を解決するために、洗濯機の表示部に、使用者との距離を検出する距離検出手段と、前記距離検出手段で検出された距離情報をもとに使用者の接近状態を判定する接近判定部と、前記接近判定部で判定された情報をもとに前記表示部へ表示する内容を制御する表示制御部とを備えた洗濯機としたものである。
【発明の効果】
【００１２】
本発明は、使用者の接近状態と洗濯機の運転状態を判断して、状況に応じて最適な表示内容を行なうことが可能となるため、機能が多く操作が複雑な白物家電においても、使用者の操作性を向上させることが可能となる。
【図面の簡単な説明】
【００１３】
【図１】本発明の実施の形態１から形態５における洗濯機の概略図
【図２】本発明の実施の形態１における洗濯機の構成図
【図３】本発明の実施の形態１におけるフローチャート
【図４】本発明の実施の形態２から形態４における洗濯機の構成図
【図５】本発明の実施の形態２におけるフローチャート
【図６】本発明の実施の形態２における表示画面を示す図
【図７】本発明の実施の形態３におけるフローチャート
【図８】本発明の実施の形態３における表示画面示す図
【図９】本発明の実施の形態４におけるフローチャート
【図１０】本発明の実施の形態４における表示画面示す図
【図１１】本発明の実施の形態５における洗濯機の構成図
【図１２】本発明の実施の形態５におけるフローチャート
【図１３】従来の洗濯機の構成図
【発明を実施するための形態】
【００１４】
第１の発明は、洗濯機の表示部に、使用者との距離を検出する距離検出手段と、前記距離検出手段で検出された距離情報をもとに使用者の接近状態を判定する接近判定部と、前記接近判定部で判定された情報をもとに前記表示部へ表示する内容を制御する表示制御部とを備えたものである。
【００１５】
これによって、洗濯運転中に使用者が接近してきた場合に、前記表示部への表示内容を変更することが可能となり、洗濯機の操作が必要な場合に最適な表示を行なうことができる。
【００１６】
第２の発明は、特に、第１の発明の洗濯機において、表示部に使用者が接近してきた場合に変更された表示内容を元に戻すキーを備えたものである。
これによって、洗濯運転中に使用者が接近してきた場合に、使用者が意図しない表示内容に変更された場合においても、表示内容を元に戻すことができる。
【００１７】
第３の発明は、特に、第１または第２の発明の洗濯機において、前記表示制御部に洗濯運転の残時間情報と使用者に設定された洗濯コース情報をもとに表示内容を判定する洗濯コース判定部をさらに備えたものである。
【００１８】
これによって、洗濯運転中に使用者が接近してきた場合に、前記残時間情報と前記洗濯コース情報に応じて前記表示部への表示内容を変更することが可能となり、使用者が洗濯コースを変更したい場合においても、最適な表示を行なうことができる。
【００１９】
第４の発明は、特に、第１から第３のいずれか１つの発明の洗濯機において、前記表示制御部に洗濯運転の残時間情報と使用者に設定された洗濯行程情報をもとに表示内容を判
定する洗濯行程判定部をさらに備えたものである。
【００２０】
これによって、洗濯運転中に使用者が接近してきた場合に、前記残時間情報と前記洗濯行程情報に応じて前記表示部への表示内容を変更することが可能となり、使用者が洗濯行程を変更したい場合においても、最適な表示を行なうことができる。
【００２１】
第５の発明は、特に、第１から第４のいずれか１つの発明の洗濯機において、前記表示制御部に洗濯運転の残時間情報と現在の洗濯行程情報をもとに表示内容を判定する現在行程判定部をさらに備えたものである。
【００２２】
これによって、洗濯運転中に使用者が接近してきた場合に、前記残時間情報と前記洗濯行程情報に応じて前記表示部への表示内容を変更することが可能となり、使用者が洗濯行程を変更したいタイミングに応じて、最適な表示を行なうことができる。
【００２３】
第６の発明は、特に、第１から第５のいずれか１つの発明の洗濯機において、前記表示制御部に洗濯機が運転中に操作された内容を記憶する記憶手段と、洗濯運転の残時間情報と前記記憶手段に記憶された操作履歴情報をもとに表示内容を判定する操作履歴判定部をさらに備えたものである。
【００２４】
これによって、洗濯運転中に使用者が接近してきた場合に、前記残時間情報と前記操作履歴情報に応じて前記表示部への表示内容を変更することが可能となり、使用者の使用パターンに応じて最適な表示を行なうことができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における洗濯機の外観の概略図を、図２は、本実施の形態における洗濯機の構成図を示したものである。
【００２７】
図１、２において、洗濯機本体１０１は、表示部１０２と、使用者との距離を検出する距離検出手段１０３と、洗濯内容を設定する設定キー１０４と、前記距離検出手段１０３で検出された距離情報をもとに使用者の接近状態を判定する接近判定部１０５と、前記接近判定部１０５で判定された情報をもとに前記表示部１０２へ表示する内容を制御する表示制御部１０６と、使用者が接近してきた場合に変更された表示内容を元に戻す、戻るキー１０７と、洗濯モータ等の洗濯制御を行なう洗濯制御部１０８と、前記洗濯制御部１０８と通信を行なう通信手段１０９とから構成される。
【００２８】
ここで、前記接近判定部１０５は、使用者が接近してきたことを判定する距離レベルが予め設定されているものとする。また、表示制御部１０６は、前記通信手段１０９を介して、洗濯制御部１０８から洗濯コース、洗濯行程、残時間等の表示に関する情報を取得するものとし、使用者が接近してきた場合に表示する表示データが予め設定されているものとする。
【００２９】
以上のように構成された洗濯機について、以下その動作・作用を図３のフローチャートを使用して説明する。
【００３０】
まず、洗濯機本体１０１の設定キー１０４を介して、使用者が洗濯内容を設定し、洗濯機本体１０１の運転を開始する。
【００３１】
洗濯運転中に、距離検出手段１０３は、使用者との距離を検出し、検出した距離情報を接近判定部１０５へ通知する（ステップ３０１）。前記接近判定部１０５は、前記距離検出手段１０３から取得した距離情報と予め設定された距離レベルを比較（ステップ３０２）する。
【００３２】
使用者が洗濯機本体１０１へ接近していると判定した場合（ステップ３０３）、表示制御部１０６へ表示内容の変更要求を通知する（ステップ３０４）。前記表示制御部１０６は、前記接近判定部１０５から表示内容の変更要求を取得すると、予め設定された表示データを表示部１０２へ送信する（ステップ３０５）。
【００３３】
例えば、前記表示制御部１０６に使用者が接近してきた場合に表示する表示データとして一時停止データが設定されていた場合、図１に示すように、表示部１０２に残時間が１２０分と表示されている洗濯運転中に使用者が接近すると、一時停止させる表示を使用者が認識し易い大きさで表示部１０２へ表示することになる。
【００３４】
ここで、前記接近判定部１０５に予め設定された距離レベル、および前記表示制御部１０６に予め設定された表示データは、使用者が設定キー１０４を介して任意に設定・変更できる構成としてもよいものとする。
【００３５】
以上のように、本実施の形態においては、洗濯運転中に使用者が接近してきた場合に、前記表示部への表示内容を変更することが可能となり、洗濯機の操作が必要な場合に最適に表示を変更することができる。
【００３６】
また、本実施の形態においては、戻るキー１０７を使用して、使用者が接近してきた場合に変更された表示内容を元に戻すことができる。
【００３７】
さらに、本実施の形態においては、表示部１０２は、ＬＣＤ等の液晶ディスプレイに限らず、ＬＥＤを使用して、洗濯運転中に使用者が接近してきた場合に、前記表示制御部１０６に予め設定された表示データに該当する操作箇所を、点灯あるいは点滅させる構成としてもよいものとする。
【００３８】
（実施の形態２）
次に、本発明における第２の実施の形態について図４を使用して説明する。
【００３９】
図４は、図２の洗濯機の構成図に対して、表示制御部１０６に、洗濯運転の残時間情報と使用者に設定された洗濯コース情報をもとに表示内容を判定する洗濯コース判定部２０１と、洗濯運転の残時間情報と使用者に設定された洗濯行程情報をもとに表示内容を判定する洗濯行程判定部２０２と、洗濯運転の残時間情報と現在の洗濯行程情報をもとに表示内容を判定する現在行程判定部２０３を備えた構成とする。
【００４０】
実施の形態２においては、実施の形態１に対して、表示制御部１０６に、洗濯運転の残時間情報と使用者に設定された洗濯コース情報をもとに表示内容を判定する洗濯コース判定部２０１を備えた構成とする。
【００４１】
ここで、前記接近判定部１０５は、使用者が接近してきたことを判定する距離レベルが予め設定されているものとする。
【００４２】
また、前記表示制御部１０６は、洗濯制御部１０８から通信手段１０９を介して、洗濯コース、洗濯行程、残時間等の表示に関する情報を取得するものとし、表示を変更する残時間レベルが予め設定されているものとする。
【００４３】
さらに、前記洗濯コース判定部２０１は、設定された洗濯コース情報に応じて表示する表示データが予め設定されているものとする。
以上のように構成された洗濯機について、以下その動作・作用を図５のフローチャートを使用して説明する。
【００４４】
まず、洗濯機本体１０１の設定キー１０４を介して、使用者が洗濯内容を設定し、洗濯機本体１０１の運転を開始する。洗濯運転中に、距離検出手段１０３は、使用者との距離を検出し、検出した距離情報を接近判定部１０５へ通知する（ステップ５０１）。
【００４５】
前記接近判定部１０５は、前記距離検出手段１０３から取得した距離情報と予め設定された距離レベルを比較（ステップ５０２）し、使用者が洗濯機本体１０１へ接近していると判定した場合（ステップ５０３）、表示制御部１０６へ表示内容の変更要求を通知する（ステップ５０４）。
【００４６】
前記表示制御部１０６は、前記接近判定部１０５から表示内容の変更要求を取得すると、予め設定された残時間レベルと、洗濯制御部１０８から通信手段１０９を介して取得した現在の残時間情報を比較（ステップ５０５）する。
【００４７】
現在の残時間情報が予め設定された残時間レベル以上であった場合、洗濯コース判定部２０１において、前記洗濯制御部１０８から取得した洗濯コース情報と予め設定された表示データをもとに表示する表示データを確定（ステップ５０６）し、表示部１０２へ表示データを送信する。
【００４８】
例えば、前記洗濯コース判定部２０１に使用者が接近してきた場合に表示する表示データとして乾燥停止データが設定され、残時間レベルとして１００分が設定されていた場合、図６に示すように、洗濯機本体１０１に、洗濯コースとして、洗濯、乾燥が設定されており、表示部１０２に残時間が１２０分と表示されている状態で使用者が接近してきた場合、乾燥を停止させる表示を使用者が認識し易い大きさで、追加で表示部１０２へ表示する。
【００４９】
ここで、前記接近判定部１０５に予め設定された距離レベル、および前記洗濯コース判定部２０１に予め設定された表示データは、使用者が設定キー１０４を介して任意に設定・変更できる構成としてもよいものとする。
【００５０】
以上のように、本実施の形態においては、洗濯運転中に使用者が接近してきた場合に、洗濯の残時間と設定された洗濯コースに応じて表示部への表示内容を変更することが可能となり、使用者が洗濯コースを変更したい場合においても、最適に表示を変更することができる。
【００５１】
また、本実施の形態においては、戻るキー１０７を使用して、使用者が接近してきた場合に変更された表示内容を元に戻すことができる。
【００５２】
さらに、本実施の形態においては、前記表示部１０２は、ＬＣＤ等の液晶ディスプレイに限らず、ＬＥＤを使用して、洗濯運転中に使用者が接近してきた場合に、前記洗濯コース判定部２０１に予め設定された表示データに該当する操作箇所を、点灯あるいは点滅させる構成としてもよいものとする。
【００５３】
（実施の形態３）
次に、本発明における第３の実施の形態について図４を使用して説明する。
【００５４】
実施の形態３においては、実施の形態２に対して、洗濯運転の残時間情報と使用者に設定された洗濯行程情報をもとに表示内容を判定する洗濯行程判定部２０２を備えた構成とする。
【００５５】
ここで、前記接近判定部１０５は、使用者が接近してきたことを判定する距離レベルが予め設定されているものとする。また、前記表示制御部１０６は、洗濯制御部１０８から通信手段１０９を介して、洗濯コース、洗濯行程、残時間等の表示に関する情報を取得するものとし、表示を変更する残時間レベルが予め設定されているものとする。
【００５６】
さらに、前記洗濯行程判定部２０２は、設定された洗濯行程情報に応じて表示する表示データが予め設定されているものとする。
【００５７】
以上のように構成された洗濯機について、以下その動作・作用を図７のフローチャートを使用して説明する。
【００５８】
まず、洗濯機本体１０１の設定キー１０４を介して、使用者が洗濯内容を設定し、洗濯機本体１０１の運転を開始する。
【００５９】
洗濯運転中に、距離検出手段１０３は、使用者との距離を検出し、検出した距離情報を接近判定部１０５へ通知する（ステップ７０１）。前記接近判定部１０５は、前記距離検出手段１０３から取得した距離情報と予め設定された距離レベルを比較（ステップ７０２）し、使用者が洗濯機本体１０１へ接近していると判定した場合（ステップ７０３）、表示制御部１０６へ表示内容の変更要求を通知する（ステップ７０４）。
【００６０】
前記表示制御部１０６は、前記接近判定部１０５から表示内容の変更要求を取得すると、予め設定された残時間レベルと、洗濯制御部１０８から通信手段１０９を介して取得した現在の残時間情報を比較（ステップ７０５）する。
【００６１】
現在の残時間情報が予め設定された残時間レベル以上であった場合、洗濯行程判定部２０２において、前記洗濯制御部１０８から取得した洗濯行程情報と予め設定された表示データをもとに表示する表示データを確定（ステップ７０６）し、表示部１０２へ表示データを送信する。
【００６２】
例えば、前記洗濯行程判定部２０２に使用者が接近してきた場合に表示する表示データとしてすすぎ回数、脱水時間変更データが設定され、残時間レベルとして６０分が設定されていた場合、図８に示すように、洗濯機本体１０１に、洗濯行程として、洗い、すすぎ、脱水行程が設定されている。
【００６３】
表示部１０２に残時間が６０分と表示されている状態で使用者が接近してきた場合、すすぎ回数、脱水時間を変更させる表示を使用者が認識し易い大きさで、追加で表示部１０２へ表示することになる。
【００６４】
ここで、前記接近判定部１０５に予め設定された距離レベル、および前記洗濯行程判定部２０２に予め設定された表示データは、使用者が設定キー１０４を介して任意に設定・変更できる構成としてもよいものとする。
【００６５】
以上のように、本実施の形態においては、洗濯運転中に使用者が接近してきた場合に、洗濯の残時間と設定された洗濯行程に応じて表示部への表示内容を変更することが可能となり、使用者が洗濯行程の設定値を変更したい場合においても、最適に表示を変更するこ
とができる。
【００６６】
また、本実施の形態においては、戻るキー１０７を使用して、使用者が接近してきた場合に変更された表示内容を元に戻すことができる。
【００６７】
さらに、本実施の形態においては、前記表示部１０２は、ＬＣＤ等の液晶ディスプレイに限らず、ＬＥＤを使用して、洗濯運転中に使用者が接近してきた場合に、前記洗濯行程判定部２０２に予め設定された表示データに該当する操作箇所を、点灯あるいは点滅させる構成としてもよいものとする。
【００６８】
（実施の形態４）
次に、本発明における第４の実施の形態について図４を使用して説明する。
【００６９】
実施の形態３においては、実施の形態３に対して、洗濯運転の残時間情報と現在の洗濯行程情報をもとに表示内容を判定する現在行程判定部２０３を備えた構成とする。
【００７０】
ここで、前記接近判定部１０５は、使用者が接近してきたことを判定する距離レベルが予め設定されているものとする。また、前記表示制御部１０６は、洗濯制御部１０８から通信手段１０９を介して、洗濯コース、洗濯行程、残時間等の表示に関する情報を取得するものとし、表示を変更する残時間レベルが予め設定されているものとする。
【００７１】
さらに、前記現在行程判定部２０３は、現在の洗濯行程情報に応じて表示する表示データが予め設定されているものとする。
【００７２】
以上のように構成された洗濯機について、以下その動作・作用を図９のフローチャートを使用して説明する。
【００７３】
まず、洗濯機本体１０１の設定キー１０４を介して、使用者が洗濯内容を設定し、洗濯機本体１０１の運転を開始する。洗濯運転中に、距離検出手段１０３は、使用者との距離を検出し、検出した距離情報を接近判定部１０５へ通知する（ステップ９０１）。
【００７４】
前記接近判定部１０５は、前記距離検出手段１０３から取得した距離情報と予め設定された距離レベルを比較（ステップ９０２）し、使用者が洗濯機本体１０１へ接近していると判定した場合（ステップ９０３）、表示制御部１０６へ表示内容の変更要求を通知する（ステップ９０４）。
【００７５】
前記表示制御部１０６は、前記接近判定部１０５から表示内容の変更要求を取得すると、予め設定された残時間レベルと、洗濯制御部１０８から通信手段１０９を介して取得した現在の残時間情報を比較（ステップ９０５）する。
【００７６】
現在の残時間情報が予め設定された残時間レベル以上であった場合、現在行程判定部２０３において、前記洗濯制御部１０８から取得した現在の洗濯行程情報と予め設定された表示データをもとに表示する表示データを確定（ステップ９０６）し、表示部１０２へ表示データを送信する。
【００７７】
例えば、前記現在行程判定部２０３に使用者が接近してきた場合に表示する表示データとして一時停止データが設定され、残時間レベルとして５０分が設定されていた場合、図１０に示すように、表示部１０２に残時間が６０分と表示されており、現在の洗濯行程が洗い行程中に使用者が接近してきた場合、一時停止を設定させる表示を使用者が認識し易い大きさで、追加で表示部１０２へ表示することになる。
【００７８】
ここで、前記接近判定部１０５に予め設定された距離レベル、および前記現在行程判定部２０３に予め設定された表示データは、使用者が設定キー１０４を介して任意に設定・変更できる構成としてもよいものとする。
【００７９】
以上のように、本実施の形態においては、洗濯運転中に使用者が接近してきた場合に、洗濯の残時間と現在に洗濯行程に応じて表示部への表示内容を変更することが可能となり、使用者が洗濯開始直後に洗濯物を追加で投入したい場合においても、最適に表示を変更することができる。
【００８０】
また、本実施の形態においては、戻るキー１０７を使用して、使用者が接近してきた場合に変更された表示内容を元に戻すことができる。
【００８１】
さらに、本実施の形態においては、前記表示部１０２は、ＬＣＤ等の液晶ディスプレイに限らず、ＬＥＤを使用して、洗濯運転中に使用者が接近してきた場合に、前記現在行程判定部２０３に予め設定された表示データに該当する操作箇所を、点灯あるいは点滅させる構成としてもよいものとする。
【００８２】
（実施の形態５）
次に、本発明における第５の実施の形態について図１１を使用して説明する。
【００８３】
図１１は、図４の洗濯機の構成図に対して、表示制御部１０６に、洗濯機が運転中に操作された内容を記憶する記憶手段３０１と、洗濯運転の残時間情報と前記記憶手段３０１に記憶された操作履歴情報をもとに表示内容を判定する操作履歴判定部２０４を備えた構成とする。
【００８４】
ここで、前記接近判定部１０５は、使用者が接近してきたことを判定する距離レベルが予め設定されているものとする。表示制御部１０６は、洗濯制御部１０８から前記通信手段１０９を介して、洗濯コース、洗濯行程、残時間等の表示に関する情報を取得するものとし、表示を変更する残時間レベルが予め設定されているものとする。
【００８５】
また、操作履歴判定部２０４は、表示を変更する残時間かどうかを判定する残時間範囲レベルが予め設定されているものとする。記憶手段３０１には、過去に使用者が洗濯運転中に設定内容を変更した残時間情報、変更前の洗濯内容、変更後の洗濯内容が予め記憶されているものとする。
【００８６】
以上のように構成された洗濯機について、以下その動作・作用を図１２のフローチャートを使用して説明する。
【００８７】
まず、洗濯機本体１０１の設定キー１０４を介して、使用者が洗濯内容を設定し、洗濯機本体１０１の運転を開始する。洗濯運転中に、距離検出手段１０３は、使用者との距離を検出し、検出した距離情報を接近判定部１０５へ通知する（ステップ１２０１）。
【００８８】
前記接近判定部１０５は、前記距離検出手段１０３から取得した距離情報と予め設定された距離レベルを比較（ステップ１２０２）し、使用者が洗濯機本体１０１へ接近していると判定した場合（ステップ１２０３）、表示制御部１０６へ表示内容の変更要求を通知する（ステップ１２０４）。
【００８９】
前記表示制御部１０６は、前記接近判定部１０５から表示内容の変更要求を取得すると、操作履歴判定部２０４は、記憶手段３０１に記憶された過去の変更時の残時間情報と現
在の残時間情報を比較する（ステップ１２０５）。
【００９０】
前記現在の残時間情報が、予め設定された残時間範囲レベル以内であった場合（ステップ１２０６）、前記記憶手段３０１に記憶された過去の変更前の洗濯内容と現在の洗濯内容を比較し、洗濯内容が同一であった場合（ステップ１２０７）、前記記憶手段３０１に記憶された過去の変更後の洗濯内容を設定させる表示を使用者が認識し易い大きさで、表示部１０２へ表示することになる（ステップ１２０８）。
【００９１】
以上のように、本実施の形態においては、洗濯運転中に使用者が接近してきた場合に、過去の変更内容に基づいて表示部への表示内容を変更することが可能となり、使用者の使用パターンに応じて最適に表示を変更することができる。
【００９２】
また、本実施の形態においては、戻るキー１０７を使用して、使用者が接近してきた場合に変更された表示内容を元に戻すことができる。
【００９３】
さらに、本実施の形態においては、前記表示部１０２は、ＬＣＤ等の液晶ディスプレイに限らず、ＬＥＤを使用して、洗濯運転中に使用者が接近してきた場合に、前記記憶手段３０１に記憶された過去の変更後の洗濯内容に該当する操作箇所を、点灯あるいは点滅させる構成としてもよいものとする。
【産業上の利用可能性】
【００９４】
以上のように本発明にかかる使用者の接近状態と洗濯機の運転状態を判断して、状況に応じて最適な表示内容を行なう方法は、洗濯機以外の家電機器においても適用可能であり、本発名により使用者の操作性を向上させることができる。
【符号の説明】
【００９５】
１０１  洗濯機本体
１０２  表示部
１０３  距離検出手段
１０４  設定キー
１０５  接近判定部
１０６  表示制御部
１０７  戻るキー
１０８  洗濯制御部
１０９  通信手段
１１０  表示情報格納部
１１１  距離情報格納部
２０１  洗濯コース判定部
２０２  洗濯行程判定部
２０３  現在行程判定部
２０４  操作履歴判定部
３０１  記憶手段
【図１】
2012130379.tif 000003
【図２】
2012130379.tif 000004
【図３】
2012130379.tif 000005
【図４】
2012130379.tif 000006
【図５】
2012130379.tif 000007
【図７】
2012130379.tif 000008
【図９】
2012130379.tif 000009
【図１１】
2012130379.tif 000010
【図１２】
2012130379.tif 000011
【図１３】
2012130379.tif 000012
【図６】
2012130379.tif 000013
【図８】
2012130379.tif 000014
【図１０】
2012130379.tif 000015